(57)【要約】【課題】  画像処理を充分な精度で効率的に実行することができ、画像処理に関するユーザインターフェース機能の充実を図ることのできる画像表示技術を提供する。【解決手段】  処理対象である原画像を指定する画像指定ステップと、原画像を処理手段で処理して処理済み画像を生成する画像処理ステップと、原画像を複数の部分領域に分割する分割境界を設定する境界設定ステップと、部分領域を選択する領域選択ステップと、領域選択ステップで選択した画像の部分領域を、処理済み画像の対応する部分領域で置き換えて全体画像を生成する画像合成ステップと、表示手段で全体画像の全部又は境界を含む一部分を表示する画像表示ステップと、を備えた画像表示方法である。【選択図】    図１
2006003603.tif 000002
【特許請求の範囲】
【請求項１】
画像を処理する処理手段と、画像をディスプレーに表示する表示手段と、を有する画像処理装置で実行されるプログラムにおいて、
処理対象である原画像を指定する画像指定ステップと、
前記原画像を前記処理手段で処理して処理済み画像を生成する画像処理ステップと、
前記原画像を複数の部分領域に分割する分割境界を設定する境界設定ステップと、
前記部分領域を選択する領域選択ステップと、
前記領域選択ステップで選択した画像の部分領域を、前記処理済み画像の対応する部分領域で置き換えて全体画像を生成する画像合成ステップと、
前記表示手段で前記全体画像の全部又は前記境界を含む一部分を表示する画像表示ステップと、
をコンピュータに実行させるための画像表示プログラム。
【請求項２】
前記境界の位置は、前記画像処理装置の利用者の操作に応じて移動自在になされることを特徴とする請求項１に記載の画像表示プログラム。
【請求項３】
前記境界は直線で構成されることを特徴とする請求項１に記載の画像表示プログラム。
【請求項４】
前記全体画像のうち、第１の部分領域と第２の部分領域について、それぞれの領域に対応した処理済み画偉を、前記第１又は第２の部分領域のいずれかに処理が施されていない場合を含めて、入れ替える入替ステップを更に備えていることを特徴とする請求項１に記載の画像表示プログラム。
【請求項５】
前記画像処理ステップで処理するための少なくとも１つの画像処理パラメータを前記画像処理装置の利用者の操作に応じて獲得する獲得ステップを更に備えたことを特徴とする請求項１に記載の画像表示プログラム。
【請求項６】
前記画像表示ステップで部分領域としてディスプレーに表示されている前記処理済画像と、この処理済画像を得るために前記画像処理ステップで当該原画像に施された処理内容と、原画像を特定する情報とを記憶する一時記憶ステップと、
前記一時記憶ステップで記憶した前記処理内容を選択する選択ステップと、
前記ディスプレーに表示されている前記全体画像の原画像に対して、前記選択ステップで選択した処理内容と同一の処理を施す第２の画像処理ステップと、
前記領域選択ステップで選択した画像の部分領域を、前記第２の画像処理ステップで処理した処理済み画像の対応する部分領域で置き換えて全体画像を生成する第２の画像合成ステップとを更に有し、
前記画像表示ステップは前記第２の画像合成ステップで生成した全体画像を前記ディスプレーに表示すること、
を特徴とする請求項１に記載の画像表示プログラム。
【請求項７】
前記選択ステップで選択した処理内容と共に記憶された原画像を特定する情報で特定される原画像が、前記ディスプレーに表示されている原画像と同一である場合には、前記第２の合成ステップで当該原画像と結合する処理済み画像は、前記一時記憶ステップで記憶された処理済み画像であることを特徴とする請求項６に記載の画像表示プログラム。
【請求項８】
前記画像処理ステップ又は前記第２の画像処理ステップで処理された前記処理済み画像を記憶する記憶ステップをさらに有することを特徴とする請求１又は６に記載の画像表示プログラム。
【請求項９】
画像を処理する処理手段と、画像をディスプレーに表示する表示手段と、を有する画像処理装置で実行されるプログラムを記録した記録媒体において、
処理対象である原画像を指定する画像指定ステップと、
前記原画像を前記処理手段で処理して処理済み画像を生成する画像処理ステップと、
前記原画像を複数の部分領域に分割する分割境界を設定する境界設定ステップと、
前記部分領域を選択する領域選択ステップと、
前記領域選択ステップで選択した画像の部分領域を、前記処理済み画像の対応する部分領域で置き換えて全体画像を生成する画像合成ステップと、
前記表示手段で前記全体画像の全部又は前記境界を含む一部分を表示する画像表示ステップと、
をコンピュータに実行させるための画像表示プログラムを記録した記録媒体。
【請求項１０】
画像を処理する処理手段と、画像をディスプレーに表示する表示手段と、を有する画像処理装置の画像表示方法において、
処理対象である原画像を指定する画像指定ステップと、
前記原画像を前記処理手段で処理して処理済み画像を生成する画像処理ステップと、
前記原画像を複数の部分領域に分割する分割境界を設定する境界設定ステップと、
前記部分領域を選択する領域選択ステップと、
前記領域選択ステップで選択した画像の部分領域を、前記処理済み画像の対応する部分領域で置き換えて全体画像を生成する画像合成ステップと、
前記表示手段で前記全体画像の全部又は前記境界を含む一部分を表示する画像表示ステップと、
を備えたことを特徴とする画像表示方法。
【請求項１１】
処理対象である原画像を指定する画像指定手段と、
前記原画像を画像処理手段で処理して処理済み画像を生成する画像処理手段と、
前記原画像を複数の部分領域に分割する分割境界を設定する境界設定手段と、
前記部分領域を選択する領域選択手段と、
前記領域選択手段が選択した画像の部分領域を、前記処理済み画像の対応する部分領域で置き換えて全体画像を生成する画像合成手段と、
前記全体画像の全部又は前記境界を含む一部分の画像を表示する画像表示手段と
を備えたことを特徴とする画像表示装置。
【発明の詳細な説明】
【技術分野】
【０００１】
本発明は、画像処理のための画像表示技術に関し、特に画像処理を効率的に行うための画像表示技術に関する。
【背景技術】
【０００２】
従来、画像に対して明るさや色などを調整する画像処理を施す場合、処理対象画像全体又は主要部分をディスプレーに表示し、利用者がその画像を観察しながら、調整用のスライダーやダイヤルをマウス等で操作しながら、所望の画像となるように明るさや色のパラメータなどを調整する方法が一般的である。
【０００３】
しかしながら、この方法では、現在のパラメータに対応する画像のみを観察するようになっており、比較する対象が無いので目的とする画像に調整出来たかどうかを判断することは非常に難しい。このため、経験を積まなければ短時間で満足できる画像に調整することはできなかった。
【０００４】
また、原画像を縮小した画像を用意し、処理を施す前の画像とパラメータを様々に調整した処理後の画像とを同一画面上に並べて表示する機能が、特に初心者向きの画像処理ソフトウェアに搭載されている。この場合、一目で表示された複数の画像を比較できるので、調整具合を把握するには適しているが、画像が小さいために詳細な調整には向いていない。
【０００５】
一方、原画像内の一部の領域内の画像を、他の領域内の画像を残したまま、強調して表示する方法が提案されている（例えば、特許文献１参照）。この方法を応用すれば、原画像と処理済画像とを１つの画面内で比較することができる。
【特許文献１】特開２００２−１５２４９６号公報
【発明の開示】
【発明が解決しようとする課題】
【０００６】
一方、特許文献１には、原画像の一部の領域内の画像を、その領域以外の部分の画像を残したまま強調処理表示する方法が提案されている。この方法によれば画面の一部分の領域を調整してそれ以外の部分と比較検討することができるので、詳細な調整にも利用可能であるが、調整した結果を画像全体に施すことはできないので、画像全体を調整する処理には適さない。初心者にも容易に画像調整ができるように、画像全体の調整について処理結果を処理前と比較したり、画像の一部分に着目してその部分の画像を比較したりするようなことが迅速にかつ柔軟にできる方法が求められている。
【０００７】
本発明は、かかる事情に鑑みてなされたものであり、画像処理を充分な精度で効率的に実行することができ、画像処理に関するユーザインターフェース機能の充実を図ることのできる画像表示プログラム、画像表示方法、画像表示装置及び記録媒体を提供することを目的とする。
【課題を解決するための手段】
【０００８】
上記課題を解決するための、本発明に係る請求項１に記載の画像表示プログラムは、画像を処理する処理手段と、画像をディスプレーに表示する表示手段と、を有する画像処理装置で実行されるプログラムにおいて、処理対象である原画像を指定する画像指定ステップと、前記原画像を前記処理手段で処理して処理済み画像を生成する画像処理ステップと、前記原画像を複数の部分領域に分割する分割境界を設定する境界設定ステップと、
前記部分領域を選択する領域選択ステップと、前記領域選択ステップで選択した画像の部分領域を、前記処理済み画像の対応する部分領域で置き換えて全体画像を生成する画像合成ステップと、前記表示手段で前記全体画像の全部又は前記境界を含む一部分を表示する画像表示ステップと、をコンピュータに実行させる。
【０００９】
また本発明に係る請求項２に記載の画像表示プログラムは、上記記載の発明である画像表示プログラムにおいて、前記境界の位置は、前記画像処理装置の利用者の操作に応じて移動自在になされる。
【００１０】
また本発明に係る請求項３に記載の画像表示プログラムは、上記記載の発明である画像表示プログラムにおいて、前記境界は直線で構成される。
【００１１】
また本発明に係る請求項４に記載の画像表示プログラムは、上記記載の発明である画像表示プログラムにおいて、前記全体画像のうち、第１の部分領域と第２の部分領域について、それぞれの領域に対応した処理済み画偉を、前記第１又は第２の部分領域のいずれかに処理が施されていない場合を含めて、入れ替える入替ステップを更に備えている。
【００１２】
また本発明に係る請求項５に記載の画像表示プログラムは、上記記載の発明である画像表示プログラムにおいて、前記画像処理ステップで処理するための少なくとも１つの画像処理パラメータを前記画像処理装置の利用者の操作に応じて獲得する獲得ステップを更に備えた。
【００１３】
また本発明に係る請求項６に記載の画像表示プログラムは、上記記載の発明である画像表示プログラムにおいて、前記画像表示ステップで部分領域としてディスプレーに表示されている前記処理済画像と、この処理済画像を得るために前記画像処理ステップで当該原画像に施された処理内容と、原画像を特定する情報とを記憶する一時記憶ステップと、前記一時記憶ステップで記憶した前記処理内容を選択する選択ステップと、前記ディスプレーに表示されている前記全体画像の原画像に対して、前記選択ステップで選択した処理内容と同一の処理を施す第２の画像処理ステップと、前記領域選択ステップで選択した画像の部分領域を、前記第２の画像処理ステップで処理した処理済み画像の対応する部分領域で置き換えて全体画像を生成する第２の画像合成ステップとを更に有し、前記画像表示ステップは前記第２の画像合成ステップで生成した全体画像を前記ディスプレーに表示する。
【００１４】
また本発明に係る請求項７に記載の画像表示プログラムは、上記記載の発明である画像表示プログラムにおいて、前記選択ステップで選択した処理内容と共に記憶された原画像を特定する情報で特定される原画像が、前記ディスプレーに表示されている原画像と同一である場合には、前記第２の合成ステップで当該原画像と結合する処理済み画像は、前記一時記憶ステップで記憶された処理済み画像である。
【００１５】
また本発明に係る請求項８に記載の画像表示プログラムは、上記記載の発明である画像表示プログラムにおいて、前記画像処理ステップ又は前記第２の画像処理ステップで処理された前記処理済み画像を記憶する記憶ステップをさらに有する。
【００１６】
また本発明に係る請求項９に記載の記録媒体は、画像を処理する処理手段と、画像をディスプレーに表示する表示手段と、を有する画像処理装置で実行されるプログラムを記録した記録媒体において、処理対象である原画像を指定する画像指定ステップと、前記原画像を前記処理手段で処理して処理済み画像を生成する画像処理ステップと、前記原画像を複数の部分領域に分割する分割境界を設定する境界設定ステップと、前記部分領域を選択する領域選択ステップと、前記領域選択ステップで選択した画像の部分領域を、前記処理済み画像の対応する部分領域で置き換えて全体画像を生成する画像合成ステップと、前記表示手段で前記全体画像の全部又は前記境界を含む一部分を表示する画像表示ステップと、をコンピュータに実行させる。
【００１７】
また本発明に係る請求項１０に記載の画像表示方法は、画像を処理する処理手段と、画像をディスプレーに表示する表示手段と、を有する画像処理装置の画像表示方法において、処理対象である原画像を指定する画像指定ステップと、前記原画像を前記処理手段で処理して処理済み画像を生成する画像処理ステップと、前記原画像を複数の部分領域に分割する分割境界を設定する境界設定ステップと、前記部分領域を選択する領域選択ステップと、前記領域選択ステップで選択した画像の部分領域を、前記処理済み画像の対応する部分領域で置き換えて全体画像を生成する画像合成ステップと、前記表示手段で前記全体画像の全部又は前記境界を含む一部分を表示する画像表示ステップと、を備えたことを特徴とする画像表示方法。
【００１８】
また本発明に係る請求項１１に記載の画像表示装置は、処理対象である原画像を指定する画像指定手段と、前記原画像を画像処理手段で処理して処理済み画像を生成する画像処理手段と、前記原画像を複数の部分領域に分割する分割境界を設定する境界設定手段と、前記部分領域を選択する領域選択手段と、前記領域選択手段が選択した画像の部分領域を、前記処理済み画像の対応する部分領域で置き換えて全体画像を生成する画像合成手段と、前記全体画像の全部又は前記境界を含む一部分の画像を表示する画像表示手段とを備えた。
【発明の効果】
【００１９】
本発明によれば、画像処理を充分な精度で効率的に実行することができ、画像処理に関するユーザインターフェース機能の充実を図ることができる。
【発明を実施するための最良の形態】
【００２０】
［第１の実施の形態］
本発明の実施の形態に係る画像表示方法では、情報処理装置の表示部に表示される画像処理画面に基づいて、ユーザが画像の処理及び編集を実行する。
【００２１】
図１は、本発明の第１の実施の形態の画像表示方法による画像処理画面の構成を示す図である。
【００２２】
画像処理画面１は、ツールバーエリア２、画像表示領域３、一時記憶操作領域４、一時記憶表示領域５及びパラメータ領域６で構成されている。ツールバーエリア２には、画像処理に関する操作を行うための各種のボタンが設けられている。画像表示領域３は、画像処理前の画像である原画像と画像処理後の画像とを合成して表示する。一時記憶操作領域４は、処理された画像を一時記憶し、また読み出すための各種の操作ボタンを備えている。一時記憶表示領域５は、一時記憶された画像処理後の画像のサムネイル画像を表示する。パラメータ領域６には、画像処理の種類とそのパラメータを指定するための操作モジュールが表示される。
【００２３】
そして、ツールバーエリア２には、開くボタン１１、保存ボタン１２、編集ボタン１３及び終了ボタン１５が設けられている。開くボタン１１は、画像処理の対象となる原画像を選択する。保存ボタン１２は、確定した画像処理パラメータを用いて画像処理した原画像を保存する。編集ボタン１３は、画像処理画面１上で画像の処理作業、編集作業を可能とする。終了ボタン１５は、画像処理画面１を閉じる。
【００２４】
画像表示領域３には、境界線１７を挟んで原画像表示領域１８と処理済み画像表示領域１９が設けられている。ここで、処理済画像表示領域１９には、画像処理を施された原画像の一部が表示される。そして、原画像表示領域１８と処理済み画像表示領域１９とで元の全体画像を構成している。
【００２５】
一時記憶操作領域４には、一時記憶領域表示ボタン２１、一時記憶ボタン２２、記憶読込ボタン２３、入替ボタン２４、ズームボタン２６及び分割モードボタン２７が設けられている。一時記憶領域表示ボタン２１は、一時記憶表示領域５の表示・非表示を切替える。一時記憶ボタン２２は、処理済画像を一時記憶メモリに記憶する。記憶読込ボタン２３は、一時記憶メモリに記憶されている処理済画像を読み出して、処理済画像表示領域１９に表示する。ズームボタン２６は、ズームアウトボタン２６ａとズームインボタン２６ｂとで構成され、画像表示領域３に表示された画像の拡大・縮小を操作する。分割モードボタン２７は、画像表示領域３に表示される画像の分割数、即ち領域数を変更する。
【００２６】
一時記憶表示領域５には、一時記憶メモリ（後述）に保存されている処理済画像のサムネイル画像が表示される。
【００２７】
パラメータ領域６には、画像処理選択リスト２８、パラメータ指定コントローラ２９が設けられている。画像処理選択リスト２８には、複数の画像処理項目が設けられ、ユーザは所望の画像処理を選択することができる。パラメータ指定コントローラ２９は、ユーザが選択した画像処理項目に対応する画像処理パラメータを入力操作するためのモジュールである。
【００２８】
次に、画像の表示方法の概要を図１を参照しつつ説明する。
【００２９】
ユーザが画像処理画面１を表示すると、ツールバーエリア２には操作ボタン１１〜１５が表示される。ユーザが、開くボタン１１を押すと、階層化された複数のフォルダが表示される。そこで、ユーザがフォルダを検索して処理対象とする画像を指定すると、その画像が画像表示領域３に表示される。
【００３０】
次にユーザが、編集ボタン１３を操作すると、画像処理を実行可能なモードに移行する。そしてそれと共に、画像表示領域３に境界線１７が表示される。この境界線１７の形状は、分割モードボタン２７を選択することによって、例えば縦２分割、横２分割、４分割等に変更することができる。また、ユーザが入替ボタン２４を押す毎に、処理済画像表示領域１９の位置を変更することができる。例えば、２分割画面の場合は、入替ボタン２４を押す毎に、処理済画像表示領域１９の位置が交互に入れ替わる。また、４分割画面の場合は、入替ボタン２４を押す毎に、処理済画像表示領域１９の位置は時計回りに変更される。図１では、画像表示領域３は、縦２分割され、左の領域が原画像表示領域１８、右の領域が処理済画像表示領域１９として指定されている。ここで、処理済画像表示領域１９として選択された領域は、例えば、表示画面上で赤枠で囲むなどによりユーザが容易に識別することができるようになっている。
【００３１】
ユーザが画像処理選択リスト２８を操作すると、図２に示すように、プルダウンメニューに画像処理項目が表示される。ユーザが所望の画像処理項目を選択すると、その選択に対応して少なくとも１つのパラメータ指定コントローラ２９がパラメータ領域６に追加表示される。そこで、ユーザがこのパラメータ指定コントローラ２９を操作すると、処理済画像表示領域１９に表示されている画像に対してその処理パラメータに基づいて画像処理が施される。従って、画像表示領域３には、画像の一部が画像処理された画像と原画像と合成して表示される。なお、境界線１７の位置は、スライド操作により移動可能である。従って、原画像と処理画像とを１画面内において柔軟に比較することができる。
【００３２】
ここで、ズームボタン２６ａ、２６ｂを操作すると、画像表示領域３中の境界線１７の位置はそのままとして、画像全体を拡大・縮小することができる。従って、画像処理結果を微細にチェックすることも、また広領域を対象として大きく把握することも容易に行うことができる。
【００３３】
ユーザが、一時記憶ボタン２２を押すと、現在選択されている処理済画像領域１９に表示されている画像と、その処理パラメータと、原画像を特定する情報とが一時記憶メモリに記憶される。図３は、一時記憶メモリに記憶される情報を示す図である。そして、それと共に一時記憶表示領域５に、処理済画像のサムネイル画像が表示される。なお、一時記憶メモリに記憶される処理済画像は、原画像全体にその処理パラメータで画像処理した画像である。
【００３４】
次に、ユーザが一時記憶表示領域５に表示されているサムネイル画像の内の１つを選択して記憶読込ボタン２３を操作すると、選択されたサムネイル画像に適用されている処理パラメータで処理された画像が、処理済画像表示領域１９に表示される。従って、一時記憶メモリに記憶されている状態に容易に復元することができる。
【００３５】
ユーザが、保存ボタン１２を操作すると、現在選択されている処理済画像領域１９に表示されている画像の処理パラメータが抽出され、その画像処理パラメータを用いて原画像に対して画像処理が施された処理済画像が所定の画像フォルダに保存される。終了ボタン１５を操作すると、画像処理画面１が閉じる。
【００３６】
続いて、上述の画像表示方法を実現するための情報処理装置の構成と、その主な処理手順について説明する。
【００３７】
図４は、情報処理装置３０の構成を示す図である。情報処理装置３０は、表示部３１、操作入力部３２、通信インターフェース３３、バッファメモリ３４、画像メモリ３５、プログラムメモリ３６、処理部３７及び一時記憶メモリ３８を備えている。
【００３８】
表示部３１は、画像処理画面１を表示するＣＲＴまたはＴＦＴ液晶ディスプレイである。操作入力部３２は、ユーザからの操作指示入力を受取るためのキーボード、マウス等の入力デバイスである。通信インターフェース３３は、外部装置との間で画像データなどの情報の授受を行う。
【００３９】
１つの処理済画像表示領域１９に対応して１つのバッファメモリ３４が関連付けられている。従って、画像表示領域３の分割数がｎの場合は、バッファメモリ３４の数は全画像領域数ｎから原画像表示領域１８を除いた（ｎ−１）ケである。画像メモリ３５は、原画像を保存する。プログラムメモリ３６は、情報処理装置３０の各機能を制御するプログラムを保存する。処理部３７は、情報処理装置３０の動作を統括的に制御する。一時記憶メモリ３８は、画像処理後の画像を一時的に記憶する。
【００４０】
次に、画像表示処理の概略の手順を図５〜図１３を参照しつつ説明する。なお、以下に説明する処理は、画像表示処理機能の内主な機能に関する処理である。従って、以下の説明に記載されていない機能であっても、図１乃至図４の説明に記載された機能は画像表示処理機能に含まれる。
【００４１】
ユーザが画像処理を開始すると、図５のステップＳ０１において、処理部３７は、画像処理画面１を表示部３１に表示する。次に、ユーザが操作入力部３２を操作して画像処理画面１の各種操作ボタンを操作すると、その操作ボタンに対応した処理を実行する。
【００４２】
ユーザがツールバーエリア２の開くボタン１１または保存ボタン１２を操作すると、ステップＳ０２に示すファイル操作処理（図６）を実行する。
【００４３】
図６のステップＴ０１において、開くボタン１１の操作を検知したときは、ステップＴ０２に示すファイルを開く処理（図７）を開始する。
【００４４】
図７のステップＰ０１〜Ｐ０３において、ユーザが指定した画像を読み出して、原画像として画像メモリ３５に記憶するとともに、画像表示領域４を表示する。そしてステップＰ０４において、画像表示領域更新処理（図８）を実行して、画像表示領域４の表示内容を更新する。
【００４５】
図８のステップＱ０１〜Ｑ０２において、選択されている分割モードを検出し、分割モードに応じて境界線１７の数・位置・方向を算出して配置する。そして、ステップＱ０３〜Ｑ０４において、全ての画像表示領域で同一の表示倍率を算出し、あわせて境界線１７を挟んで１枚の画像が分割されるように、各領域についてスクロール位置（合成位置）を算出する。
【００４６】
そして、ステップＱ０５〜Ｑ０６において、画像メモリ３５から原画像を読み込み原画像表示領域１８に表示する。また、バッファメモリ３４から処理済画像を読み込み、合成位置に応じた部分の画像を処理済画像表示領域１９に表示する。なお、まだ画像処理が実行されていない初期状態では、バッファメモリ３４には、処理済画像として原画像が格納されている。
【００４７】
ファイルを開く処理を終了した後は、図５に戻り、ユーザの次の操作を待機する。
【００４８】
図６のステップＴ０５において、保存ボタン１２の操作を検知したときは、ステップＴ０６に示すファイルの保存処理（図９）を開始する。
【００４９】
図９のステップＰ０７において、処理済画像表示領域１９が複数存在するかどうかを調べ、複数存在する場合（ステップＰ０７  Ｙｅｓ）は、ステップＰ０８において、ユーザが選択している処理済画像保存領域１９を保存対象とする。そして、ステップＰ０９において、その処理済画像表示領域１９に対応するバッファメモリ３４から処理済画像を読み出して保存するべきファイルに格納する。
【００５０】
ファイルの保存処理を終了した後は、図５に戻り、ユーザの次の操作を待機する。
【００５１】
図５において、ユーザがツールバーエリア２の編集ボタン１３を操作すると、ステップＳ０３に示す編集モード切換処理（図１０）を実行する。
【００５２】
図１０のステップＰ１１において、既に編集モードに切り替っているかどうかを調べ、まだ編集モードに切り替っていない場合（ステップＰ１１  Ｎｏ）は、初期化処理を実行する。即ち、ステップＰ１２〜Ｐ１３において、分割数に応じたバッファメモリ３４を生成し、生成したバッファメモリ３４に原画像をコピーする。
【００５３】
続いて、ステップＰ１４〜Ｐ１５において、境界線１７、処理済画像表示領域１９、パラメータ領域６を表示して、ステップＰ１６に示す画像表示領域更新処理（図８）を実行して、画像表示領域４の表示内容を更新する。ここで、画像表示領域更新処理は既に説明しているためその詳細の説明は省略する。
【００５４】
編集モード切替処理を終了した後は、図５に戻り、ユーザの次の操作を待機する。
【００５５】
図５において、ユーザがパラメータ領域６の画像処理選択リスト２８またはパラメータ指定コントローラ２９を操作すると、ステップＳ０４に示すパラメータ指定領域操作処理（図１１）を実行する。
【００５６】
図１１のステップＴ１１〜Ｔ１２において、画像処理選択リスト２８の選択を検出したときは、選択された画像処理項目に応じたパラメータ指定コントローラ２９をパラメータ領域６に追加表示する。
【００５７】
図１１のステップＴ１５〜Ｔ１６において、パラメータ指定コントローラ２９の操作を検出したときは、バッファメモリ３４内の処理済画像に対して指定されたパラメータに応じた画像処理を加える。そして、ステップＴ１７に示す画像表示領域更新処理（図８）を実行して、画像表示領域４の表示内容を更新する。ここで、画像表示領域更新処理は既に説明しているためその詳細の説明は省略する。
【００５８】
パラメータ領域操作処理を終了した後は、図５に戻り、ユーザの次の操作を待機する。
【００５９】
図５において、ユーザが画像表示に係る操作を行うと、ステップＳ０５に示す画像表示領域操作処理（図１２）を実行する。
【００６０】
ユーザが画像表示領域３のスクロールバーを操作すると、図１２のステップＰ２１〜Ｐ２２において、選択中の処理済画像表示領域１９の表示をスクロール操作にあわせて変更する。そして、ステップＰ３０において、この動作と連動して、同じ処理を他の全ての画像表示領域、即ち、原画像表示領域１８及び他の処理済画像表示領域１９に対して実行する。そして、ステップＰ３２に示す画像表示領域更新処理（図８）を実行して、画像表示領域４の表示内容を更新する。ここで、画像表示領域更新処理は既に説明しているためその詳細の説明は省略する。
【００６１】
ユーザがズームインボタン２６ｂを操作すると、図１２のステップＰ２４〜Ｐ２５において、選択中の処理済画像表示領域１９の表示倍率を増加する。そして、ステップＰ３０において、この動作と連動して、同じ処理を他の全ての画像表示領域、即ち、原画像表示領域１８及び他の処理済画像表示領域１９に対して実行する。そして、ステップＰ３２に示す画像表示領域更新処理（図８）を実行して、画像表示領域４の表示内容を更新する。ここで、画像表示領域更新処理は既に説明しているためその詳細の説明は省略する。
【００６２】
ユーザがズームアウトボタン２６ａを操作すると、図１２のステップＰ２７〜Ｐ２８において、選択中の処理済画像表示領域１９の表示倍率を減少する。そして、ステップＰ３０において、この動作と連動して、同じ処理を他の全ての画像表示領域、即ち、原画像表示領域１８及び他の処理済画像表示領域１９に対して実行する。そして、ステップＰ３２に示す画像表示領域更新処理（図８）を実行して、画像表示領域４の表示内容を更新する。ここで、画像表示領域更新処理は既に説明しているためその詳細の説明は省略する。
【００６３】
ユーザが分割モード切替ボタン２７を操作すると、図１２のステップＰ３５〜Ｐ３６において、選択された分割モード（縦２分割、横２分割、４分割）に変更する。そして、ステップＰ３２に示す画像表示領域更新処理（図８）を実行して、画像表示領域４の表示内容を更新する。ここで、画像表示領域更新処理は既に説明しているためその詳細の説明は省略する。
【００６４】
ユーザが境界線１７の位置をスライドして移動すると、図１２のステップＰ３８〜Ｐ３９において、境界線の位置を変更して各表示領域のサイズを調整する。そして、ステップＰ３２に示す画像表示領域更新処理（図８）を実行して、画像表示領域４の表示内容を更新する。ここで、画像表示領域更新処理は既に説明しているためその詳細の説明は省略する。
【００６５】
ユーザが入替ボタン２４を操作すると、図１２のステップＰ４１〜Ｐ４２において、画像処理の対象となる処理済画像表示領域１９が入れ替わる。そして、ステップＰ３２に示す画像表示領域更新処理（図８）を実行して、画像表示領域４の表示内容を更新する。ここで、画像表示領域更新処理は既に説明しているためその詳細の説明は省略する。
【００６６】
画像表示領域操作処理を終了した後は、図５に戻り、ユーザの次の操作を待機する。
【００６７】
図５において、ユーザが一時記憶に係る操作を行うと、ステップＳ０６に示す一時記憶領域操作処理（図１３）を実行する。
【００６８】
ユーザが一時記憶領域表示ボタン２１を操作すると、図１３のステップＰ５１〜Ｐ５２において、一時記憶表示領域５が表示中かどうかを調べる。そして、表示中でなければ（Ｐ５２  Ｎｏ）、ステップＰ５３において、一時記憶表示領域５を表示し、更に一時記憶メモリ３８に画像が保存されている場合は、その画像のサムネイル画像を表示する。表示中であれば（Ｐ５２  Ｙｅｓ）、ステップＰ５４において、一時記憶表示領域５を非表示とする。
【００６９】
ユーザが一時記憶ボタン２２を操作すると、図１３のステップＰ６１〜Ｐ６３において、選択されている処理済画像表示領域１９に表示されている画像を保存対象として、一時記憶メモリ３８内に一時記憶するためのメモリ領域を確保する。そして、ステップＰ６４〜Ｐ６５において、処理済画像表示領域１９に対応するバッファメモリ３４の内容を一時記憶メモリ３８にコピーし、それと共に一時記憶表示領域５にサムネイル画像を表示する。
【００７０】
ユーザが一時記憶表示領域５に表示されているサムネイル画像の内１つを選択して、記憶読込ボタン２３を操作すると、図１３のステップＰ７１〜Ｐ７３において、選択されている処理済画像表示領域１９を読み込み先とし、選択されているサムネイル画像を読み込み元とする。次に、ステップＰ７４において、図３に示す原画像特定情報に基づいて、画像表示領域３に表示されている画像が、一時記憶表示領域５に表示されているサムネイル画像と同じ画像かどうかを調べる。
【００７１】
画像が同じ場合（Ｐ７４  Ｙｅｓ）は、一時記憶メモリ３８の画像を処理済画像表示領域１９に対応するバッファメモリ３４にコピーする。即ち、一時記憶メモリ３８に保存した時の処理済画像を処理済画像表示領域１９に表示する。画像が異なる場合（Ｐ７４  Ｎｏ）は、一時記憶メモリ３８の処理パラメータで、処理済画像表示領域１９に対応するバッファメモリ３４内の画像に画像処理を施す。そして、ステップＰ７７に示す画像表示領域更新処理（図８）を実行して、画像表示領域４の表示内容を更新する。ここで、画像表示領域更新処理は既に説明しているためその詳細の説明は省略する。
【００７２】
一時記憶領域操作処理を終了した後は、図５に戻り、ユーザの次の操作を待機する。
【００７３】
図５において、ユーザが終了ボタン１５を操作すると、ステップＳ０７において、その終了操作を検出して画像処理画面１を閉じる。
【００７４】
［実施の形態の効果］
上述の実施の形態によれば、画像表示領域３には、画像の一部が画像処理された画像と原画像とが合成して表示され、境界線１７の位置をスライド操作により移動することによって画像内の一部の領域を任意に変更できる。従って、原画像と処理画像とを１画面内において柔軟に比較することができる。
【００７５】
また、原画像と画像処理パラメータ適用後の画像を並べて表示し、リアルタイムに編集結果を比較しながらパラメータの設定が可能である。このため画像処理のための操作性が向上する。
【００７６】
また、ズームボタン２６ａ、２６ｂが設けられているため、画像全体を拡大・縮小することができる。従って、画像処理結果を微細にチェックすることも、また広領域を対象として大きく把握することも容易に行うことができる。
【００７７】
ユーザが、一時記憶ボタン２２を押すと、現在選択されている処理済画像領域１９に表示されている画像と、その処理パラメータと、原画像を特定する情報とが一時記憶メモリに記憶される。また、ユーザが一時記憶表示領域５に表示されているサムネイル画像の内の１つを選択して記憶読込ボタン２３を操作すると、選択されたサムネイル画像に適用されている処理パラメータで処理された画像が、処理済画像表示領域１９に表示される。従って、一時記憶メモリに記憶されている状態に容易に復元することができる。
【００７８】
このように本実施の形態によれば、画像処理を充分な精度で効率的に実行することができ、画像処理に関するユーザインターフェース機能の充実を図ることができる。
【００７９】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００８０】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００８１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８２】
【図１】本発明の第１の実施の形態の画像表示方法による画像処理画面の構成を示す図。
【図２】画像処理項目を示す図。
【図３】一時記憶メモリに記憶される情報を示す図。
【図４】情報処理装置の構成を示す図。
【図５】画像表示処理の概略の手順を示す図。
【図６】ファイル操作処理の手順を示すフロー図。
【図７】ファイルを開く処理の手順を示すフロー図。
【図８】画像表示領域更新処理の手順を示すフロー図。
【図９】ファイルの保存処理の手順を示すフロー図。
【図１０】編集モード切換処理手順を示すフロー図。
【図１１】パラメータ指定領域操作処理を示すフロー図。
【図１２】画像表示領域操作処理手順示すフロー図。
【図１３】一時記憶領域操作処理手順を示すフロー図。
【符号の説明】
【００８３】
１…画像処理画面、３…画像表示領域、４…一時記憶操作領域、５…一時記憶表示領域、６…パラメータ領域、１７…境界線、１８…原画像表示領域、１９…処理済画像表示領域、２２…一時記憶ボタン、２３…記憶読込ボタン、２４…入替ボタン、２６…ズームボタン、２７…分割モードボタン、２８…画像処理選択リスト、２９…パラメータ指定コントローラ、３０…情報処理装置、３１…表示部、３２…操作入力部、３４…バッファメモリ、３７…処理部、３８…一時記憶メモリ。
【図１】
2006003603.tif 000003
【図２】
2006003603.tif 000004
【図３】
2006003603.tif 000005
【図４】
2006003603.tif 000006
【図５】
2006003603.tif 000007
【図６】
2006003603.tif 000008
【図７】
2006003603.tif 000009
【図８】
2006003603.tif 000010
【図９】
2006003603.tif 000011
【図１０】
2006003603.tif 000012
【図１１】
2006003603.tif 000013
【図１２】
2006003603.tif 000014
【図１３】
2006003603.tif 000015